(57)【要約】【課題】顧客に配布した商用カード自身を物理的に利用することにより、顧客に何らかの特典を提供する付加的サービスを行う。【解決手段】所定箇所に円形の開口窓１１０が形成された商用カード１００（クレジットカードなど）を顧客に発行する。開口窓１１０の配置パターンは、各顧客ごとに異なるようにしておく。月締めで顧客に発送する利用明細書の一部には、くじ表示領域２１０を設けておく。このくじ表示領域２１０には、商用カード１００を位置合わせするための位置指標２１３と、複数の数字からなるシンボルマーク２１４とが印刷されており、商用カード１００を位置指標に合わせて重ねた場合に、開口窓１１０内から一部のシンボルマーク２１４が観察できる。この観察可能な位置に配置された一部のシンボルマーク２１４に基づいて、くじの当選が決定される。【選択図】        図１
2004227135.tif 000002
【特許請求の範囲】
【請求項１】
商業上のサービスを提供するために顧客に対して発行される商用カードと、この商用カードの利用明細を示すために顧客に対して発行される利用明細書と、を用いて、顧客に対してくじによる特典を提供する方法であって、
前記商用カードには、所定位置に透光性をもった開口窓を設け、
前記利用明細書には、前記商用カードを位置合わせするための位置指標と、この位置指標に基づいて前記商用カードを位置合わせして重ねた場合に前記開口窓内から観察可能もしくは観察不能な位置に配置されたシンボルマークと、を有するくじ表示領域を設け、
前記利用明細書上に、前記位置指標に基づいて前記商用カードを位置合わせして重ねた場合に、前記開口窓から観察可能な位置に配置されたシンボルマークに基づいて、くじの当選を決定することを特徴とするカード利用者に対するくじによる特典提供方法。
【請求項２】
商業上のサービスを提供するために顧客に対して発行される商用カードと、この商用カードの利用明細を示すために顧客に対して発行される利用明細書と、を用いて、顧客に対してくじによる特典を提供する方法であって、
前記商用カードには、所定位置に透光性をもった開口窓を設け、
前記利用明細書には、前記商用カードを位置合わせするための位置指標と、この位置指標に基づいて前記商用カードを位置合わせして重ねた場合に前記開口窓内から観察可能な位置および前記開口窓内から観察不能な位置にそれぞれ配置された複数のシンボルマークと、を有するくじ表示領域を設け、
前記利用明細書上に、前記位置指標に基づいて前記商用カードを位置合わせして重ねた場合に、前記開口窓から観察可能な位置に配置されたシンボルマークに基づいて、くじの当選を決定することを特徴とするカード利用者に対するくじによる特典提供方法。
【請求項３】
商業上のサービスを提供するために顧客に対して発行される商用カードと、この商用カードの利用明細を示すために顧客に対して発行される利用明細書と、を備え、
前記商用カードには、所定位置に透光性をもった開口窓が形成されており、
前記利用明細書には、前記商用カードを位置合わせするための位置指標と、この位置指標に基づいて前記商用カードを位置合わせして重ねた場合に前記開口窓内から観察可能もしくは観察不能な位置に配置された当選決定用シンボルマークと、を有するくじ表示領域が形成されていることを特徴とするカード利用者に対するくじによる特典提供用具。
【請求項４】
商業上のサービスを提供するために顧客に対して発行される商用カードと、この商用カードの利用明細を示すために顧客に対して発行される利用明細書と、を備え、
前記商用カードには、所定位置に透光性をもった開口窓が形成されており、
前記利用明細書には、前記商用カードを位置合わせするための位置指標と、この位置指標に基づいて前記商用カードを位置合わせして重ねた場合に前記開口窓内から観察可能な位置および前記開口窓内から観察不能な位置にそれぞれ配置された複数の当選決定用シンボルマークと、を有するくじ表示領域が形成されていることを特徴とするカード利用者に対するくじによる特典提供用具。
【請求項５】
請求項４に記載の特典提供用具において、
利用明細書のくじ表示領域内には、ｎ行ｍ列のマトリックスが定義されており、このマトリックス上の各セルにそれぞれ特定のシンボルマークが配置されており、
商用カードには、前記利用明細書上に定義されたマトリックスと同じ大きさのマトリックスが対応位置に定義されており、このマトリックスを構成するセルのうちの一部のセルに対応する位置に開口窓が形成されていることを特徴とするカード利用者に対するくじによる特典提供用具。
【請求項６】
請求項５に記載の特典提供用具において、
商用カード上に定義されたマトリックスを構成するセルのうち、開口窓が形成されていないセルの位置に、ダミーシンボルマークが印刷されていることを特徴とするカード利用者に対するくじによる特典提供用具。
【請求項７】
請求項３〜６のいずれかに記載の特典提供用具において、
位置指標に基づいて商用カードを利用明細書上に位置合わせして重ねた場合に、開口窓から観察可能な位置に配置されたシンボルマークに基づいて、くじの当選を決定するためのルールを示す当選ルール情報が、利用明細書のくじ表示領域内に掲載されていることを特徴とするカード利用者に対するくじによる特典提供用具。
【請求項８】
請求項７に記載の特典提供用具において、
商用カードには、複数の開口窓が形成されており、
前記複数の開口窓内に観察可能なシンボルマークの組み合わせに基づいて、くじの当選を決定するためのルールを示す当選ルール情報が、利用明細書のくじ表示領域内に掲載されていることを特徴とするカード利用者に対するくじによる特典提供用具。
【請求項９】
商業上のサービスを提供するために顧客に対して発行され所定位置に透光性をもった開口窓が形成された商用カード、についての利用明細を示す利用明細書であって、
特定の顧客に関する利用明細情報が掲載された利用明細記録領域と、
前記商用カードを位置合わせするための位置指標と、この位置指標に基づいて前記商用カードを位置合わせして重ねた場合に前記開口窓内から観察可能もしくは観察不能な位置に配置された当選決定用シンボルマークと、が掲載されたくじ表示領域と、を備えることを特徴とする商用カードの利用明細書。
【請求項１０】
商業上のサービスを提供するために顧客に対して発行され所定位置に透光性をもった開口窓が形成された商用カード、についての利用明細を示す利用明細書であって、
特定の顧客に関する利用明細情報が掲載された利用明細記録領域と、
前記商用カードを位置合わせするための位置指標と、この位置指標に基づいて前記商用カードを位置合わせして重ねた場合に前記開口窓内から観察可能な位置および前記開口窓内から観察不能な位置にそれぞれ配置された複数の当選決定用シンボルマークと、が掲載されたくじ表示領域と、を備えることを特徴とする商用カードの利用明細書。
【請求項１１】
請求項９または１０に記載の利用明細書において、
位置指標に基づいて商用カードを位置合わせして重ねた場合に、開口窓から観察可能な位置に配置されたシンボルマークに基づいて、くじの当選を決定するためのルールを示す当選ルール情報が、くじ表示領域内に掲載されていることを特徴とする商用カードの利用明細書。
【請求項１２】
商業上のサービスを提供するために顧客に対して発行される商用カードと、この商用カードの利用明細を示すための利用明細書を発行する利用明細書発行部と、種々の情報をデジタルデータとして格納した情報格納部と、この情報格納部に情報を格納するための情報入力部と、くじの当選を判定する当選判定部と、を備え、
前記商用カードには、透光性をもった開口窓が、個々の顧客ごともしくは個々の顧客グループごとに異なる配置パターンで形成されており、
前記情報格納部には、個々の顧客に関する個人情報と、個々の顧客に対して発行した商用カードに形成された開口窓の配置パターンを示すパターン情報と、個々の顧客の利用明細を示す利用明細情報と、くじの当選を決定するために用いるシンボルマークを示す情報と、前記シンボルマークの配置を指定する配置情報と、前記開口窓から観察可能な位置に配置されたシンボルマークに基づいて、くじの当選を決定するためのルールを示す当選ルール情報と、が格納されており、
前記利用明細書発行部は、利用明細書の構成面上に、前記利用明細情報および前記商用カードを位置合わせするための位置指標をそれぞれ割り付けるとともに、前記配置情報に基づいて前記シンボルマークを所定位置に割り付けることにより利用明細書を構成する画像を生成する画像生成部と、前記画像生成部によって生成された画像を紙面上にプリントするか、もしくはデジタルデータとして出力することにより利用明細書の発行を行う画像出力部と、を有しており、
前記配置情報は、少なくとも一部の顧客に対して発行された商用カードを前記位置指標に基づいて位置合わせして重ねた場合に、少なくとも一部の開口窓内から前記シンボルマークが観察可能な位置に割り当てられるような配置を指定しており、
前記当選判定部は、前記配置情報、前記パターン情報、前記当選ルール情報、に基づいて、個々の顧客についての当選判定を行うことを特徴とするカード利用者に対するくじによる特典提供システム。
【請求項１３】
請求項１２に記載の特典提供システムにおいて、
情報格納部内に、複数通りの配置情報が格納されており、
利用明細書発行部が、個々の顧客宛の利用明細書を発行する際に、所定の配置情報を選択して用いることを特徴とするカード利用者に対するくじによる特典提供システム。
【請求項１４】
商業上のサービスを提供するために顧客に対して発行される商用カードと、この商用カードの利用明細を示すための利用明細書を発行する利用明細書発行部と、種々の情報をデジタルデータとして格納した情報格納部と、この情報格納部に情報を格納するための情報入力部と、くじの当選を判定する当選判定部と、を備え、
前記商用カードには、透光性をもった開口窓が所定の配置パターンで形成されており、
前記情報格納部には、個々の顧客に関する個人情報と、前記開口窓の配置パターンを示すパターン情報と、個々の顧客の利用明細を示す利用明細情報と、くじの当選を決定するために用いるシンボルマークを示す情報と、前記シンボルマークの配置を指定する配置情報と、前記開口窓から観察可能な位置に配置されたシンボルマークに基づいて、くじの当選を決定するためのルールを示す当選ルール情報と、が格納されており、
前記利用明細書発行部は、利用明細書の構成面上に、前記利用明細情報および前記商用カードを位置合わせするための位置指標をそれぞれ割り付けるとともに、前記配置情報に基づいて前記シンボルマークを所定位置に割り付けることにより利用明細書を構成する画像を生成する画像生成部と、前記画像生成部によって生成された画像を紙面上にプリントするか、もしくはデジタルデータとして出力することにより利用明細書の発行を行う画像出力部と、を有しており、
前記配置情報は、商用カードを前記位置指標に基づいて位置合わせして重ねた場合に、少なくとも一部の開口窓内から前記シンボルマークが観察可能な位置に割り当てられるような配置を指定しており、かつ、個々の顧客ごともしくは個々の顧客グループごとに異なる配置を指定しており、
前記当選判定部は、前記配置情報、前記パターン情報、前記当選ルール情報、に基づいて、個々の顧客についての当選判定を行うことを特徴とするカード利用者に対するくじによる特典提供システム。
【請求項１５】
請求項１２〜１４のいずれかに記載の特典提供システムにおいて、
利用明細書発行部が、利用明細書の構成面上に、当選ルール情報を掲載する処理を更に行うことを特徴とするカード利用者に対するくじによる特典提供システム。
【請求項１６】
請求項１２〜１５のいずれかに記載の特典提供システムにおいて、
利用明細書発行部が、特定の顧客宛の利用明細書を発行する際に、利用明細書の構成面上に、当該特定の顧客を識別するための顧客識別コードを掲載する処理を更に行い、
当選判定部が、利用明細書もしくはその複写物から、前記顧客識別コードをデジタルデータとして読み取り、読み取った顧客識別コードに対応する顧客についての当選判定を行うことを特徴とするカード利用者に対するくじによる特典提供システム。
【請求項１７】
請求項１２〜１６のいずれかに記載の特典提供システムにおいて、
ｎ行ｍ列のマトリックス上の各セルにそれぞれ特定のシンボルマークを配置することを示す配置情報が情報格納部内に格納されており、
顧客に配布する商用カード上の開口窓の配置パターンが、前記マトリックス上で選択された一部のセルの配置に対応したパターンとなっていることを特徴とするカード利用者に対するくじによる特典提供システム。
【請求項１８】
請求項１２〜１７のいずれかに記載の特典提供システムにおいて、
商用カードには、複数の開口窓が形成されており、
情報格納部には、前記複数の開口窓内に観察可能なシンボルマークの組み合わせに基づいて、くじの当選を決定するためのルールを示す当選ルール情報が格納されていることを特徴とするカード利用者に対するくじによる特典提供システム。
【請求項１９】
商業上のサービスを提供するために顧客に対して発行され所定位置に透光性をもった開口窓が形成された商用カード、についての利用明細を示す利用明細書を発行するための発行装置であって、
顧客の利用明細を示す利用明細情報と、くじの当選を決定するために用いるシンボルマークを示す情報と、前記シンボルマークの配置を指定する配置情報と、をデジタルデータとして格納した情報格納部と、
前記情報格納部に情報を格納するための情報入力部と、
利用明細書の構成面上に、前記利用明細情報および前記商用カードを位置合わせするための位置指標をそれぞれ割り付けるとともに、前記配置情報に基づいて前記シンボルマークを所定位置に割り付けることにより利用明細書を構成する画像を生成する画像生成部と、
前記画像生成部によって生成された画像を紙面上にプリントするか、もしくはデジタルデータとして出力することにより利用明細書の発行を行う画像出力部と
を備え、
前記配置情報は、少なくとも一部の顧客に対して発行された商用カードを前記位置指標に基づいて位置合わせして重ねた場合に、少なくとも一部の開口窓内から前記シンボルマークが観察可能な位置に割り当てられるような配置を指定していることを特徴とする商用カードの利用明細書の発行装置。
【請求項２０】
請求項１９に記載の発行装置において、
情報格納部内に、複数通りの配置情報が格納されており、
画像生成部が、個々の顧客宛の利用明細書を構成する画像を生成する際に、所定の配置情報を選択して用いることを特徴とする商用カードの利用明細書の発行装置。
【請求項２１】
請求項１９または２０に記載の発行装置において、
情報格納部内に、開口窓から観察可能な位置に配置されたシンボルマークに基づいて、くじの当選を決定するためのルールを示す当選ルール情報が格納されており、
画像生成部が、利用明細書の構成面上に、前記当選ルール情報が掲載された利用明細書を構成する画像を生成することを特徴とする商用カードの利用明細書の発行装置。
【請求項２２】
請求項１９〜２１のいずれかに記載の発行装置において、ｎ行ｍ列のマトリックス上の各セルにそれぞれ特定のシンボルマークを配置することを示す配置情報が情報格納部内に格納されており、
画像生成部が、複数のシンボルマークを前記配置情報に基づいて前記マトリックス上に割り付ける処理を行うことを特徴とする商用カードの利用明細書の発行装置。
【発明の詳細な説明】
【０００１】
【発明の属する技術分野】
本発明は、カード利用者に対するくじによる特典提供システムに関し、特に、商業上のサービスを提供するために顧客に対して発行される商用カードと、この商用カードの利用明細を示すために顧客に対して発行される利用明細書と、を用いて、顧客に対してくじによる特典を提供する技術に関する。
【０００２】
【従来の技術】
現在、商業上のサービスを顧客に提供するためのカード（本明細書では、商用カードと呼ぶ）として、様々なタイプのものが用いられている。たとえば、信販会社が個々の顧客に対して発行するクレジットカードやデビットカードは、このような商用カードの代表例であり、顧客に対して代金決済を行うサービスの提供に用いられている。また、小売業者などが発行しているいわゆる「ポイントカード」と呼ばれている商用カードでは、購入額に応じて何らかのサービスポイントが与えられ、蓄積したサービスポイントに応じた特典が得られるような形態を採るものが多い。また、会員登録を行うことによって得られる会員カードも、このような商用カードの一種であり、個々の会員に対して付加的なサービスを提供するために利用されていることが多い。
【０００３】
このような商用カードでは、顧客への付加的サービスを拡充しつつ、カードの利用促進を図るために、様々な工夫により、顧客に特典を与えるシステムを導入していることが多い。たとえば、下記の特許文献１には、クレジットカードの利用明細書に、利用金額に応じて付与されるポイント数を記載するとともに、付与されたポイント数に応じて発行された商品券を印刷して提供する技術が開示されている。また、下記の特許文献２には、日付、時間、口座番号の数値をもとに算出した所定の数値データを、任意の当選データと比較して、当選の判定を行い、その結果を利用明細書に印字する技術が開示されている。下記の特許文献３には、現金自動預払機の利用明細書に、種々の特典情報データの中から選択された所定の特典情報を印字して提供する技術が開示されている。
【０００４】
【特許文献１】
特開２００１−３５７４５９号公報
【特許文献２】
実開平５−４３２５４号公報
【特許文献３】
実用新案登録第３０７８０３７号公報
【発明が解決しようとする課題】
上述したように、商用カードに付随して、顧客に対して何らかの付加的なサービスを提供しようという試みは、これまでにも様々な方法が提案されている。しかしながら、従来から提案されている種々の試みは、いずれも顧客に配布した商用カード自身を物理的に利用した付加的サービスにはなっていない。このため、提供された付加的サービスが、商用カードに直接関連したサービスであるという認識を顧客に抱かせることが困難である。実用上、商用カードの利用促進を図る上では、個々の顧客が所持している商用カード自身によって、何らかの付加的サービスが受けられたという印象を抱かせることが重要である。
【０００５】
そこで本発明は、顧客に配布した商用カード自身を物理的に利用することにより、顧客に何らかの特典を提供する付加的サービスを行うことが可能な特典提供システムを実現することを目的とする。
【０００６】
【課題を解決するための手段】
（１）    本発明の第１の態様は、商業上のサービスを提供するために顧客に対して発行される商用カードと、この商用カードの利用明細を示すために顧客に対して発行される利用明細書と、を用いて、顧客に対してくじによる特典を提供するカード利用者に対するくじによる特典提供方法において、
商用カードには、所定位置に透光性をもった開口窓を設け、
利用明細書には、商用カードを位置合わせするための位置指標と、この位置指標に基づいて商用カードを位置合わせして重ねた場合に開口窓内から観察可能もしくは観察不能な位置に配置されたシンボルマークと、を有するくじ表示領域を設け、
利用明細書上に、位置指標に基づいて商用カードを位置合わせして重ねた場合に、開口窓から観察可能な位置に配置されたシンボルマークに基づいて、くじの当選を決定するようにしたものである。
【０００７】
（２）    本発明の第２の態様は、商業上のサービスを提供するために顧客に対して発行される商用カードと、この商用カードの利用明細を示すために顧客に対して発行される利用明細書と、を用いて、顧客に対してくじによる特典を提供するカード利用者に対するくじによる特典提供方法において、
商用カードには、所定位置に透光性をもった開口窓を設け、
利用明細書には、商用カードを位置合わせするための位置指標と、この位置指標に基づいて商用カードを位置合わせして重ねた場合に開口窓内から観察可能な位置および開口窓内から観察不能な位置にそれぞれ配置された複数のシンボルマークと、を有するくじ表示領域を設け、
利用明細書上に、位置指標に基づいて商用カードを位置合わせして重ねた場合に、開口窓から観察可能な位置に配置されたシンボルマークに基づいて、くじの当選を決定するようにしたものである。
【０００８】
（３）    本発明の第３の態様は、商業上のサービスを提供するために顧客に対して発行される商用カードと、この商用カードの利用明細を示すために顧客に対して発行される利用明細書と、によって、カード利用者に対するくじによる特典提供用具を構成し、
商用カードには、所定位置に透光性をもった開口窓が形成されているようにし、
利用明細書には、商用カードを位置合わせするための位置指標と、この位置指標に基づいて商用カードを位置合わせして重ねた場合に開口窓内から観察可能もしくは観察不能な位置に配置された当選決定用シンボルマークと、を有するくじ表示領域が形成されているようにしたものである。
【０００９】
（４）    本発明の第４の態様は、商業上のサービスを提供するために顧客に対して発行される商用カードと、この商用カードの利用明細を示すために顧客に対して発行される利用明細書と、によって、カード利用者に対するくじによる特典提供用具を構成し、
商用カードには、所定位置に透光性をもった開口窓が形成されているようにし、
利用明細書には、商用カードを位置合わせするための位置指標と、この位置指標に基づいて商用カードを位置合わせして重ねた場合に開口窓内から観察可能な位置および開口窓内から観察不能な位置にそれぞれ配置された複数の当選決定用シンボルマークと、を有するくじ表示領域が形成されているようにしたものである。
【００１０】
（５）    本発明の第５の態様は、上述の第４の態様に係るカード利用者に対するくじによる特典提供用具において、
利用明細書のくじ表示領域内に、ｎ行ｍ列のマトリックスを定義し、このマトリックス上の各セルにそれぞれ特定のシンボルマークを配置するようにし、
商用カードには、利用明細書上に定義されたマトリックスと同じ大きさのマトリックスを対応位置に定義し、このマトリックスを構成するセルのうちの一部のセルに対応する位置に開口窓を形成するようにしたものである。
【００１１】
（６）    本発明の第６の態様は、上述の第５の態様に係るカード利用者に対するくじによる特典提供用具において、
商用カード上に定義されたマトリックスを構成するセルのうち、開口窓が形成されていないセルの位置に、ダミーシンボルマークを印刷するようにしたものである。
【００１２】
（７）    本発明の第７の態様は、上述の第３〜第６の態様に係るカード利用者に対するくじによる特典提供用具において、
位置指標に基づいて商用カードを利用明細書上に位置合わせして重ねた場合に、開口窓から観察可能な位置に配置されたシンボルマークに基づいて、くじの当選を決定するためのルールを示す当選ルール情報を、利用明細書のくじ表示領域内に掲載するようにしたものである。
【００１３】
（８）    本発明の第８の態様は、上述の第７の態様に係るカード利用者に対するくじによる特典提供用具において、
商用カードには、複数の開口窓を形成するようにし、
この複数の開口窓内に観察可能なシンボルマークの組み合わせに基づいて、くじの当選を決定するためのルールを示す当選ルール情報を、利用明細書のくじ表示領域内に掲載するようにしたものである。
【００１４】
（９）    本発明の第９の態様は、商業上のサービスを提供するために顧客に対して発行され所定位置に透光性をもった開口窓が形成された商用カード、についての利用明細を示す利用明細書において、
特定の顧客に関する利用明細情報が掲載された利用明細記録領域と、
商用カードを位置合わせするための位置指標と、この位置指標に基づいて商用カードを位置合わせして重ねた場合に開口窓内から観察可能もしくは観察不能な位置に配置された当選決定用シンボルマークと、が掲載されたくじ表示領域と、
を形成するようにしたものである。
【００１５】
（１０）  本発明の第１０の態様は、商業上のサービスを提供するために顧客に対して発行され所定位置に透光性をもった開口窓が形成された商用カード、についての利用明細を示す利用明細書において、
特定の顧客に関する利用明細情報が掲載された利用明細記録領域と、
商用カードを位置合わせするための位置指標と、この位置指標に基づいて商用カードを位置合わせして重ねた場合に開口窓内から観察可能な位置および開口窓内から観察不能な位置にそれぞれ配置された複数の当選決定用シンボルマークと、が掲載されたくじ表示領域と、
を形成するようにしたものである。
【００１６】
（１１）  本発明の第１１の態様は、上述の第９または第１０の態様に係る商用カードの利用明細書において、
位置指標に基づいて商用カードを位置合わせして重ねた場合に、開口窓から観察可能な位置に配置されたシンボルマークに基づいて、くじの当選を決定するためのルールを示す当選ルール情報を、くじ表示領域内に掲載するようにしたものである。
【００１７】
（１２）  本発明の第１２の態様は、商業上のサービスを提供するために顧客に対して発行される商用カードと、この商用カードの利用明細を示すための利用明細書を発行する利用明細書発行部と、種々の情報をデジタルデータとして格納した情報格納部と、この情報格納部に情報を格納するための情報入力部と、くじの当選を判定する当選判定部と、によって、カード利用者に対するくじによる特典提供システムを構成し、
商用カードには、透光性をもった開口窓が、個々の顧客ごともしくは個々の顧客グループごとに異なる配置パターンで形成されているようにし、
情報格納部には、個々の顧客に関する個人情報と、個々の顧客に対して発行した商用カードに形成された開口窓の配置パターンを示すパターン情報と、個々の顧客の利用明細を示す利用明細情報と、くじの当選を決定するために用いるシンボルマークを示す情報と、シンボルマークの配置を指定する配置情報と、開口窓から観察可能な位置に配置されたシンボルマークに基づいて、くじの当選を決定するためのルールを示す当選ルール情報と、が格納されているようにし、
利用明細書発行部は、利用明細書の構成面上に、利用明細情報および商用カードを位置合わせするための位置指標をそれぞれ割り付けるとともに、配置情報に基づいてシンボルマークを所定位置に割り付けることにより利用明細書を構成する画像を生成する画像生成部と、画像生成部によって生成された画像を紙面上にプリントするか、もしくはデジタルデータとして出力することにより利用明細書の発行を行う画像出力部と、を有しており、
配置情報は、少なくとも一部の顧客に対して発行された商用カードを位置指標に基づいて位置合わせして重ねた場合に、少なくとも一部の開口窓内からシンボルマークが観察可能な位置に割り当てられるような配置を指定しており、
当選判定部は、配置情報、パターン情報、当選ルール情報、に基づいて、個々の顧客についての当選判定を行う機能を有しているようにしたものである。
【００１８】
（１３）  本発明の第１３の態様は、上述の第１２の態様に係るカード利用者に対するくじによる特典提供システムにおいて、
情報格納部内に、複数通りの配置情報を格納するようにし、
利用明細書発行部が、個々の顧客宛の利用明細書を発行する際に、所定の配置情報を選択して用いるようにしたものである。
【００１９】
（１４）  本発明の第１４の態様は、商業上のサービスを提供するために顧客に対して発行される商用カードと、この商用カードの利用明細を示すための利用明細書を発行する利用明細書発行部と、種々の情報をデジタルデータとして格納した情報格納部と、この情報格納部に情報を格納するための情報入力部と、くじの当選を判定する当選判定部と、によって、カード利用者に対するくじによる特典提供システムを構成し、
商用カードには、透光性をもった開口窓が所定の配置パターンで形成されているようにし、
情報格納部には、個々の顧客に関する個人情報と、開口窓の配置パターンを示すパターン情報と、個々の顧客の利用明細を示す利用明細情報と、くじの当選を決定するために用いるシンボルマークを示す情報と、シンボルマークの配置を指定する配置情報と、開口窓から観察可能な位置に配置されたシンボルマークに基づいて、くじの当選を決定するためのルールを示す当選ルール情報と、が格納されているようにし、
利用明細書発行部は、利用明細書の構成面上に、利用明細情報および商用カードを位置合わせするための位置指標をそれぞれ割り付けるとともに、配置情報に基づいてシンボルマークを所定位置に割り付けることにより利用明細書を構成する画像を生成する画像生成部と、画像生成部によって生成された画像を紙面上にプリントするか、もしくはデジタルデータとして出力することにより利用明細書の発行を行う画像出力部と、を有しており、
配置情報は、商用カードを位置指標に基づいて位置合わせして重ねた場合に、少なくとも一部の開口窓内からシンボルマークが観察可能な位置に割り当てられるような配置を指定しており、かつ、個々の顧客ごともしくは個々の顧客グループごとに異なる配置を指定しており、
当選判定部は、配置情報、パターン情報、当選ルール情報、に基づいて、個々の顧客についての当選判定を行う機能を有しているようにしたものである。
【００２０】
（１５）  本発明の第１５の態様は、上述の第１２〜第１４の態様に係るカード利用者に対するくじによる特典提供システムにおいて、
利用明細書発行部が、利用明細書の構成面上に、当選ルール情報を掲載する処理を更に行うようにしたものである。
【００２１】
（１６）  本発明の第１６の態様は、上述の第１２〜第１５の態様に係るカード利用者に対するくじによる特典提供システムにおいて、
利用明細書発行部が、特定の顧客宛の利用明細書を発行する際に、利用明細書の構成面上に、当該特定の顧客を識別するための顧客識別コードを掲載する処理を更に行い、
当選判定部が、利用明細書もしくはその複写物から、顧客識別コードをデジタルデータとして読み取り、読み取った顧客識別コードに対応する顧客についての当選判定を行うようにしたものである。
【００２２】
（１７）  本発明の第１７の態様は、上述の第１２〜第１６の態様に係るカード利用者に対するくじによる特典提供システムにおいて、
ｎ行ｍ列のマトリックス上の各セルにそれぞれ特定のシンボルマークを配置することを示す配置情報が情報格納部内に格納されており、
顧客に配布する商用カード上の開口窓の配置パターンが、上記マトリックス上で選択された一部のセルの配置に対応したパターンとなっているようにしたものである。
【００２３】
（１８）  本発明の第１８の態様は、上述の第１２〜第１７の態様に係るカード利用者に対するくじによる特典提供システムにおいて、
商用カードに、複数の開口窓を形成するようにし、
情報格納部には、この複数の開口窓内に観察可能なシンボルマークの組み合わせに基づいて、くじの当選を決定するためのルールを示す当選ルール情報を格納するようにしたものである。
【００２４】
（１９）  本発明の第１９の態様は、商業上のサービスを提供するために顧客に対して発行され所定位置に透光性をもった開口窓が形成された商用カード、についての利用明細を示す利用明細書を発行するための商用カードの利用明細書の発行装置において、
顧客の利用明細を示す利用明細情報と、くじの当選を決定するために用いるシンボルマークを示す情報と、シンボルマークの配置を指定する配置情報と、をデジタルデータとして格納した情報格納部と、
情報格納部に情報を格納するための情報入力部と、
利用明細書の構成面上に、利用明細情報および商用カードを位置合わせするための位置指標をそれぞれ割り付けるとともに、配置情報に基づいてシンボルマークを所定位置に割り付けることにより利用明細書を構成する画像を生成する画像生成部と、
画像生成部によって生成された画像を紙面上にプリントするか、もしくはデジタルデータとして出力することにより利用明細書の発行を行う画像出力部と
を設け、
配置情報は、少なくとも一部の顧客に対して発行された商用カードを位置指標に基づいて位置合わせして重ねた場合に、少なくとも一部の開口窓内からシンボルマークが観察可能な位置に割り当てられるような配置を指定しているようにしたものである。
【００２５】
（２０）  本発明の第２０の態様は、上述の第１９の態様に係る商用カードの利用明細書の発行装置において、
情報格納部内に、複数通りの配置情報を格納するようにし、
画像生成部が、個々の顧客宛の利用明細書を構成する画像を生成する際に、所定の配置情報を選択して用いるようにしたものである。
【００２６】
（２１）  本発明の第２１の態様は、上述の第１９または第２０の態様に係る商用カードの利用明細書の発行装置において、
情報格納部内に、開口窓から観察可能な位置に配置されたシンボルマークに基づいて、くじの当選を決定するためのルールを示す当選ルール情報を格納するようにし、
画像生成部が、利用明細書の構成面上に、当選ルール情報が掲載された利用明細書を構成する画像を生成するようにしたものである。
【００２７】
（２２）  本発明の第２２の態様は、上述の第１９〜第２１の態様に係る商用カードの利用明細書の発行装置において、
ｎ行ｍ列のマトリックス上の各セルにそれぞれ特定のシンボルマークを配置することを示す配置情報を情報格納部内に格納するようにし、
画像生成部が、複数のシンボルマークを配置情報に基づいて上記マトリックス上に割り付ける処理を行うようにしたものである。
【００２８】
【発明の実施の形態】
以下、本発明を図示する実施形態に基づいて説明する。
【００２９】
＜＜＜  §１．基本的実施形態  ＞＞＞
図１は、本発明の基本的実施形態を示す平面図である。本発明の基本概念は、商業上のサービスを提供するために顧客に対して発行される商用カードと、この商用カードの利用明細を示すために顧客に対して発行される利用明細書と、を用いて、顧客に対してくじによる特典を提供する点にある。したがって、本発明を、商用カードの利用者に対して、くじにより何らかの特典を提供する用具として捉えると、この特典提供用具は、図１（ａ）  に示すような商用カード１００と、図１（ｂ）  に示すような利用明細書２００（図には、その一部分の領域である「くじ表示領域２１０」のみが示されている）と、によって構成されることになる。
【００３０】
図２は、本発明で用いられる利用明細書２００の具体的な構成例を示す平面図である。ここに示す例では、利用明細書２００は、くじ表示領域２１０、宛名領域２２０、利用明細記録領域２３０、お知らせ領域２４０なる４つの領域によって構成されている。この利用明細書２００は、信販会社が発行する一般的なクレジットカードの一例を示すものである（ここでは、説明の便宜上、「ＰＡＴＥＮＴ  ＣＡＲＤ」なる仮想のクレジットカードについての利用明細書の例を示す）。一般的なクレジットカードの場合、ここに示す例のような利用明細書２００が、毎月、会員となる顧客のもとに郵送されてくる。
【００３１】
この利用明細書２００における宛名領域２２０には、通常、会員番号や会員氏名などが記載されており、利用明細記録領域２３０には、当該会員の一か月間のカードの利用明細の一覧が掲載されており、お知らせ領域２４０には、種々のお知らせが掲載されている。このように、宛名領域２２０、利用明細記録領域２３０、お知らせ領域２４０を有する利用明細書２００は、従来から一般的に利用されているものであるが、本発明の特徴は、更に、くじ表示領域２１０を設けるようにした点にある。図２では、このくじ表示領域２１０の記載部分のみを拡大表示してあり、図１（ｂ）  に示したくじ表示領域２１０の内容は、この拡大表示した内容と同一である。
【００３２】
なお、図示の例では、利用明細書２００の左下欄にくじ表示領域２１０を設けているが、もちろん、くじ表示領域２１０は利用明細書２００のどの部分に設けるようにしてもかまわない。図２に示す利用明細書２００は、あくまでも具体的な一例であり、個々の領域をどの部分に配置するかは、自由に設定することが可能な事項である。もちろん、くじ表示領域２１０を利用明細書２００の裏面に設けることも可能である。また、必要に応じて、くじ表示領域２１０の内容を掲載した印刷物と、利用明細記録領域２３０の内容を掲載した印刷物とを別紙として用意し、これらを同封して顧客宛に郵送するような形態を採ってもかまわない。
要するに、本願における「商用カードの利用明細書」とは、顧客が受領した際に、商用カードの利用明細が含まれている一連の資料として把握できる対象物を意味しており、必ずしも１枚の紙によって構成されている必要はない。
【００３３】
本発明の特徴は、商用カード１００と利用明細書２００とを連携させることにより、顧客に対して、くじによる特典を提供する点にある。以下、この特徴を、図１を参照しながら説明する。まず、商用カード１００についての特徴であるが、図１（ａ）  に示すように、本発明に係る商用カード１００には、開口窓１１０が形成されている。この開口窓１１０は、透光性を有する閉領域として機能するものであれば、形状や構造は問わない。図示の例は、ＩＣを内蔵したクレジットカードであり、商用カード１００の内部には、ＩＣチップ１２０が埋め込まれている。
【００３４】
一方、利用明細書２００上に設けられたくじ表示領域２１０には、図１（ｂ）  に示すように、表題２１１、当選ルール情報２１２、位置指標２１３、シンボルマーク２１４、位置合わせ説明２１５、景品交換説明２１６、顧客識別コード２１７が掲載されている。表題２１１は、このくじ表示領域２１０が、くじによる特典を提供するための欄であることを示すタイトル部であり、この例では「今月のサービスくじ」なる名称が付されている。当選ルール情報２１２は、このくじの当選を決定するためのルールを示す情報であり、顧客は、この情報をもとに、くじに当選したか否かを認識することができる。
【００３５】
位置指標２１３は、商用カード１００を、このくじ表示領域２１０上の所定位置に位置合わせするための指標であり、顧客は、この位置指標２１３に基づいて、所持する商用カード１００を利用明細書２００上に重ね合わせる操作を行うことができる。図示の例では、位置指標２１３は、商用カード１００の輪郭位置を示す点線によって構成されている。もちろん、位置指標２１３は、必ずしも商用カード１００の輪郭位置を示すものにする必要はなく、たとえば、四隅の位置のみを示す指標、一辺の位置のみを示す指標、一隅の位置のみを示す指標などであってもかまわない。あるいは、くじ表示領域２１０の境界線をそのまま位置指標２１３として利用することも可能である。また、場合によっては、利用明細書２００の紙面自身の左下隅に商用カード１００を位置合わせするような形態を採ってもかまわない。この場合、利用明細書２００の紙面の外辺自身が、位置指標２１３として機能することになる。
【００３６】
位置合わせ説明２１５は、顧客に対して、位置指標２１３へ位置合わせする操作を促すための説明文であり、図示の例では、商用カード１００を点線部に重ねる旨の指示が記載されている。また、景品交換説明２１６は、このくじに当選した場合の景品交換方法を示す説明文である。右下隅の顧客識別コード２１７は、この利用明細書２００の宛名となる顧客（この例では、特許太郎なる会員）を識別するためのコードであり、この例では、光学的な読み取りに適した二次元バーコードを採用している。
【００３７】
続いて、顧客がくじの当選を認識するプロセスを説明しよう。前述したように、図１（ａ）  に示す商用カード１００は、特許太郎なる顧客に対して発行された「ＰＡＴＥＮＴ  ＣＡＲＤ」なるクレジットカードであり、当該顧客に対して、毎月、図２に示すような利用明細書２００が郵送されてくる。このような利用明細書２００を受領した顧客は、くじ表示領域２１０に、くじによる特典サービスがあることを認識し、所持する商用カード１００を取り出して、位置合わせ説明２１５に従って、位置指標２１３に沿って位置合わせをしながら、これをくじ表示領域２１０の所定位置に重ねることになる。図３は、くじ表示領域２１０に商用カード１００を重ねた状態を示す平面図である。商用カード１００の５か所に設けられた開口窓１１０から、シンボルマーク２１４の一部が観察できる。別言すれば、図１（ｂ）  に示す位置指標２１３の内部の所定位置に配置された複数のシンボルマーク２１４のうち、商用カード１００の開口窓１１０の位置に合致するシンボルマークだけが窓を通して見える状態になる。
【００３８】
この例では、当選ルール情報２１２には、「窓から見える数字の合計が、１５になったら…お米券５ｋｇプレゼント、５になったら…１０ポイントプレゼント」なる当選ルールが示されている。ここで、１０ポイントプレゼントなる特典は、別途提供されているポイントサービス（クレジットカードの利用額に応じて顧客にポイントを付与し、累積ポイントに応じた特典を与えるサービス）にボーナスポイントを付加する特典である。図３に示す例の場合、窓から見える数字の合計は１２であるので、特許太郎なる顧客は、今回のくじでは当選しなかったことになる。
【００３９】
このように、本発明の特徴は、利用明細書２００上に、位置指標２１３に基づいて商用カード１００を位置合わせして重ねた場合に、開口窓１１０から観察可能な位置に配置されたシンボルマークに基づいて、くじの当選を決定する点にある。
【００４０】
ここに示す実施形態では、信販会社は、個々の顧客に商用カード１００を発行する際に、発行する商用カード１００上の開口窓１１０の配置パターンが、個々の顧客ごとにそれぞれ異なるような配慮を施している。そのため、個々の顧客に発行された商用カード１００上には、様々な配置パターンで開口窓１１０が形成されていることになり、各顧客に郵送された利用明細書２００上のくじ表示領域２１０に、同一のシンボルマーク２１４が同一配置で印刷されていたとしても、くじの当選結果は、個々の顧客ごとに異なったものになる。
【００４１】
たとえば、実用次郎なる顧客に対しては、図４に示すような商用カード１００Ａが発行されていたとしよう。図４に示す商用カード１００Ａを、図１（ａ）  に示す商用カード１００と比べると、会員番号や氏名などの印刷内容が異なるだけではなく、開口窓の配置も異なっていることがわかるであろう。すなわち、図１（ａ）  に示す商用カード１００上の開口窓１１０と、図４に示す商用カード１００Ａ上の開口窓１１０Ａとは、いずれも５か所に設けられた開口窓ではあるが、その配置パターンは全く異なっている。したがって、実用次郎なる顧客が、自己の商用カード１００Ａをくじ表示領域２１０上の所定位置に重ねてみると、図５に示すような結果が得られることになる。すなわち、開口窓１１０Ａから見える数字の合計は１５になり、当選ルールに従えば、お米券５ｋｇプレゼントという特典を得ることができる。
【００４２】
このように、本発明では、商用カード１００と利用明細書２００とによって、くじによる特典提供用具を構成し、商用カード１００を利用明細書２００上に重ね合わせることにより、くじの当落の認識を行うことができるようにしたため、顧客は、配布された商用カード自身を物理的に利用することにより、何らかの特典（くじの当選による特典）を受けることができるようになる。これにより、顧客に、商用カードを所持していることを再認識させることができ、商用カードの利用を促進させることが期待できる。
【００４３】
＜＜＜  §２．いくつかの変形例  ＞＞＞
続いて、本発明に係るくじによる特典提供用具の変形例をいくつか述べておく。
【００４４】
（１）    商用カードの構成について
前述した商用カード１００には、図１（ａ）  に示すように、所定位置に透光性をもった開口窓１１０が形成されている。この開口窓１１０は、透光性を有する閉領域として機能するものであれば、形状や構造は問わない。図示の例では、円形の開口窓１１０が５か所に設けられているが、矩形や三角形など、任意の形状の開口窓１１０を形成してかまわない。図６（ａ）  は、図１（ａ）  に示す商用カード１００の物理的な構成を示す平面図である。ここで、斜線によるハッチングを施した領域は、光を遮蔽する性質をもった領域であり、白抜きの部分が透光性をもった開口窓として機能する領域である。図６（ｂ）  に示す商用カード１００Ｂは、開口窓の形状を正方形にした例であり、商用カード１００と全く同様の機能を果たすことができる。
【００４５】
各開口窓は、商用カードを構成する板状材料（通常は、合成樹脂製の板）に物理的に穴をあけることによって構成することも可能であるが、実用上は、物理的な穴を形成すると、カード自体の物理的な強度を損なうおそれがあるので、全体的に不透明な板状体の一部の領域のみを透明にするという方法で構成するのが好ましい。
【００４６】
図１（ａ）  に示す実施形態では、透明な樹脂によって、板状のカード本体部を形成した後、その表面に印刷を施すことにより、開口窓１１０を有する商用カード１００を製造するという方法を採っている。すなわち、図６（ａ）  にハッチングを施した領域に対してのみ、印刷層が形成されることになる。このように、開口窓１１０の部分だけ印刷層を形成しないようにすれば、全体的には印刷によって不透明な印刷層で覆われたカードになるが、開口窓１１０の部分だけは、透明な樹脂が露出した状態になり、透明な開口領域として機能することになる。こうして、印刷によって開口窓１１０を形成する手法を採れば、物理的には通常の樹脂製カードと同等になるため、強度が低下するような問題は生じない。
【００４７】
なお、開口窓の部分は、完全な透明にする必要はなく、シンボルマークを観察することが可能な程度の半透明の状態にしてもかまわない。もちろん、シンボルマークを観察することが可能な程度に着色を施すことも可能である。また、たとえば、赤く着色した開口窓と、緑に着色した開口窓とを用意しておき、利用明細書側には、赤インキで印刷したシンボルマークと緑インキで印刷したシンボルマークとを設けておき、赤く着色した開口窓からは緑インキで印刷したシンボルマークのみが観察でき、緑に着色した開口窓からは赤インキで印刷したシンボルマークのみが観察できる、というような手法を採ってもよい。
【００４８】
図１（ａ）  に示す例は、ＩＣを内蔵したクレジットカードであり、商用カード１００の内部には、ＩＣチップ１２０が埋め込まれているが、本発明の適用は、このようなＩＣチップ１２０が埋め込まれているいわゆるＩＣカードに限定されるものではない。本発明は、磁気テープ部分が形成された磁気カードや、何ら情報記録機能をもたない単なる物理的なカードについても適用可能である。また、ここでは、信販会社が発行したクレジットカードを商用カードとして用いた例を示すが、本発明における商用カードは、このようなクレジットカードに限定されるものではなく、商業上のサービスを提供するために顧客に対して発行されるカードであれば、どのようなカードであってもかまわない。たとえば、信販会社が発行するデビットカード、小売業者などが発行するいわゆるポイントカード、会員登録を行うことによって得られる会員カードなど、種々のカードを用いて本発明を実施することができる。
【００４９】
（２）    利用明細書の構成について
利用明細書２００の全体構成の一例は、図２に示したとおりであり、この例では、くじ表示領域２１０、宛名領域２２０、利用明細記録領域２３０、お知らせ領域２４０の４つの領域が設けられている。もちろん、各領域の配置は自由に設定することができ、宛名領域２２０やお知らせ領域２４０に関しては、不要であれば、設けなくてもかまわない。要するに、本発明に用いる利用明細書は、商業上のサービスを提供するために顧客に対して発行され所定位置に透光性をもった開口窓が形成された商用カード、についての利用明細を示す利用明細書であり、特定の顧客に関する利用明細情報が掲載された利用明細記録領域２３０とくじ表示領域２１０とが形成されていれば、どのような形態のものであってもかまわない。また、利用明細記録領域２３０とくじ表示領域２１０とは、物理的に異なる紙面上に形成されたものであってもよいことは、既に述べたとおりである。
【００５０】
また、図２に示す例は、クレジットカードについての月毎の利用明細を掲載するための利用明細書であるが、本発明に係る利用明細書は、必ずしも一定期間ごとの利用明細を示すものである必要はない。たとえば、個々の店舗のレジにおいて、クレジットカードやポイントカードなどを提示してカード利用を行うたびに、当該店舗のレジにおいて発行されるレシート形式の帳票を、本発明に係る利用明細書として利用することも可能である。この場合、当該レシート形式の帳票に、くじ表示領域が記載されることになるので、顧客は、当該店舗のレジにおいて、くじに当選したか否かを認識することが可能になる。もちろん、銀行などが発行するキャッシュカードを商用カードとして用いる場合には、当該キャッシュカードを利用して現金を引き出す際に、ＡＴＭ／ＣＤ機などによって発行されるレシート形式の帳票を、本発明に係る利用明細書として利用することも可能である。この場合も、その場で当落の確認ができる。
【００５１】
更に、この利用明細書に設けられるくじ表示領域の掲載内容も、前述した実施形態に示したものに限定されるものではない。たとえば、図１（ｂ）  に示すくじ表示領域２１０には、表題２１１、当選ルール情報２１２、位置指標２１３、シンボルマーク２１４、位置合わせ説明２１５、景品交換説明２１６、顧客識別コード２１７が記載されているが、少なくとも位置指標２１３とシンボルマーク２１４とが含まれていれば、本発明の実施を行うことが可能であり、その他の要素は、必要に応じて適宜設けるようにすればよい。
【００５２】
図１（ｂ）  に示す例の場合、シンボルマーク２１４として数字を用いているため、実用上、顧客に対して、当選か落選かの判断を行うための情報として、当選ルール情報２１２を掲載している。この当選ルール情報２１２は、位置指標２１３に基づいて商用カード１００を位置合わせして重ねた場合に、開口窓１１０から観察可能な位置に配置されたシンボルマークに基づいて、くじの当選を決定するためのルールを顧客に対して示すものであり、顧客に対してくじの当落の判断基準を明示した方が好ましい場合には、このような当選ルール情報２１２をくじ表示領域２１０内に掲載すればよい。しかしながら、たとえば、シンボルマーク２１４として、「あたり」、「はずれ」のような文字、あるいは、「特賞」、「一等」、「二等」のような文字を採用するようにすれば、当選ルール情報２１２を掲載しなくても、当選の判断基準は明確であり、支障は生じない。
【００５３】
なお、本発明に用いる利用明細書は、必ずしも紙などの物理的な媒体上にプリントされたものである必要はなく、利用明細書の体裁をもった画像を提示するためのデジタルデータであってもかまわない。たとえば、紙面からなる利用明細書を郵送する代わりに、このような利用明細書を提示するためのデジタルデータを電子メールなどを利用して顧客に配信することができれば、顧客は、受信したデジタルデータを用いて、利用明細書をディスプレイ画面上に表示させたり、プリンタを用いて紙面上に印刷したりすることができる。くじの当選決定は、プリンタによって印刷した利用明細書上に商用カードを重ねて行うこともできるし、ディスプレイ画面上に表示された利用明細書上に直接商用カードを重ねて行うこともできる。
【００５４】
（３）    シンボルマークの内容について
図１（ｂ）  に示す例では、シンボルマーク２１４として数字を用いているが、本発明に用いるシンボルマークは、もちろん、数字に限定されるものではなく、文字や絵柄など、どのようなシンボルマークを用いてもかまわない。単なる色を示すようなシンボルマークを利用することも可能である。図７に示すくじ表示領域２１０Ｃは、絵柄をシンボルマークとして用いた例である。このくじ表示領域２１０Ｃ内に掲載されている表題２１１Ｃ、位置指標２１３Ｃ、位置合わせ説明２１５Ｃ、景品交換説明２１６Ｃ、顧客識別コード２１７Ｃは、いずれも図１（ｂ）  に示す各対応要素と同一のものであるが、シンボルマーク２１４Ｃについては、数字の代わりに絵柄が用いられており、当選ルール情報２１２Ｃも、この絵柄を用いた当選ルールに変更されている。
【００５５】
図８は、図７に示すくじ表示領域２１０Ｃに、ポイントカードとしての機能をもつ商用カード１００Ｃを重ねた状態を示す平面図である。この商用カード１００Ｃには、５か所に正方形状の開口窓１１０Ｃが形成されており、この５か所の開口窓１１０Ｃを通して、５つの絵柄が観察できる状態になっている。図示の例の場合、ハートマークとダイヤモンドマークとが窓から見えているので、当選ルール情報２１２Ｃによれば、お米券５ｋｇが当選したことになる。一方、図９は、図７に示すくじ表示領域２１０Ｃに、別な顧客に発行された商用カード１００Ｄを重ねた状態を示す平面図である。この例の場合、黒星マークと黒い三日月マークとが窓から見えているので、当選ルール情報２１２Ｃによれば、１０ポイント分のサービスポイントを獲得する特典が当選したことになる。
【００５６】
（４）    シンボルマークの配置と開口窓との関係および当選ルールについて
これまで述べた実施形態においても示されているとおり、本発明では、商用カード１００をくじ表示領域２１０上の所定位置に重ねたときに、開口窓１１０内から観察されるシンボルマーク２１４によって、くじの当選決定を行うことになる。したがって、くじの当選決定は、シンボルマークの配置と開口窓との関係および当選ルールによって左右されることになる。
【００５７】
これまでの実施形態では、商用カード側に複数の開口窓を形成しておき、くじ表示領域側に複数のシンボルマークを配置しておき、複数の開口窓を通して観察されるシンボルマークの種類によって、当落を決定する当選ルールを定めていた。しかしながら、開口窓の数やシンボルマークの数は、必ずしも複数にする必要はない。たとえば、商用カード側には、いずれかの位置に単一の開口窓のみを設けておき、くじ表示領域側には、いずれかの位置に単一のシンボルマーク（たとえば、「当選」なる文字からなるシンボルマーク）のみを設けておいてもよい。
この場合、当選決定を左右するシンボルマークが、開口窓から見えれば当選、見えなければ落選ということになる。シンボルマークが見えるか見えないかは、個々の商用カードによって異なる。別言すれば、くじ表示領域上に配置されたシンボルマークは、ある特定の商用カード上の開口窓からは観察可能であるが、別な商用カード上の開口窓からは観察不能ということになる。このように、本発明を実施する上で、くじ表示領域に掲載する当選決定用シンボルマークは、種々の商用カードの開口窓内から観察可能な位置もしくは観察不能な位置のいずれかに配置しておけばよい。
【００５８】
もっとも、上述したような単一の開口窓と単一のシンボルマークの組み合わせでは、当選パターンのバリエーションが限られてしまうので、実用上は、複数の開口窓と複数のシンボルマークとの組み合わせにより、当落の決定がなされるようにするのが好ましい。特に、ある特定の顧客の立場から見れば、自分の所持する商用カードをくじ表示領域上に重ねた場合に、複数のシンボルマークのうちの一部だけが開口窓から観察でき、残りのシンボルマークは隠れてしまう、という状況になるのが好ましい。このように、自分の保持する商用カード上の開口窓の配置パターンに応じて、複数のシンボルマークのうちの特定の一部だけが観察可能な状態になることにより、偶然性によって特定のシンボルマークの選択が行われた、という印象を顧客に抱かせる効果が得られるようになるので、偶然性の作用による公正なくじ引きが行われたという心証を顧客に与えることができるようになる。このような効果を狙うためには、いずれの顧客の商用カードを重ねた場合にも、開口窓内から観察可能な位置に配置されたシンボルマークと、開口窓内から観察不能な位置に配置されたシンボルマークとが存在するように、複数のシンボルマークを配置しておくようにすればよい。
【００５９】
実用的には、くじ表示領域内に、ｎ行ｍ列のマトリックスを定義し、このマトリックス上の各セルにそれぞれ特定のシンボルマークを配置しておくようにし、商用カードには、同じ大きさのマトリックスを対応位置に定義し、このマトリックスを構成するセルのうちの一部のセルに対応する位置に開口窓を形成するようにすればよい。たとえば、図１（ｂ）  に示す例の場合、くじ表示領域２１０内には、３行５列のマトリックスが定義されており、このマトリックスを構成する各セルの位置に、合計１５個のシンボルマーク（１〜５の数字のいずれか）が配置されている。これに対応して、図１（ａ）  に示す商用カード１００や、図４に示す商用カード１００Ａにも、同じ大きさのマトリックスが対応位置に定義されており、合計１５個のセル位置の中から任意の５個のセルが選択され、この選択されたセルに対応する位置に円形の開口窓が形成されている。
【００６０】
全１５個のセルの中から、任意の５個のセルを選択する組み合わせは、約３０００通りあるので、互いに開口窓の配置パターンが異なる商用カードを約３０００種類作成することが可能である。より多数の顧客について、それぞれ開口窓の配置パターンが異なる商用カードを配布したい場合には、よりサイズの大きなマトリックスを定義したり、開口窓の数をより増やすようにすればよい。
【００６１】
もっとも、実用上は、すべての顧客に対して、それぞれ開口窓の配置パターンが異なる商用カードを配布する必要はない。たとえば、３００００人の顧客に対して、３０００種類の商用カードを発行する場合、全顧客を１０人ずつのグループに分け、同一グループに所属する顧客に対しては、開口窓の配置パターンが同一の商用カードを配布するようにすればよい。この場合、同一グループに所属する１０人の顧客に関しては、全く同一の当選結果が得られることになるが、全体的に見れば、３０００分の１の確率に基づくくじ引きが行われたことに変わりはなく、実用上の問題は生じない。要するに、個々の顧客グループごとに、開口窓の配置パターンが異なっていれば、すべての顧客についての開口窓の配置パターンを異ならせる必要はない。
【００６２】
一方、本発明において、くじ表示領域上で行われるくじ引きの当選ルールは、「開口窓から観察可能な位置に配置されたシンボルマークに基づいて当選を決定する」という原則が守られている限り、どのような当選ルールを設定してもかまわない。たとえば、前述したように、「あたり」、「特賞」、「一等」、「二等」のような文字からなるシンボルマークを採用し、いずれかの開口窓からこれらのシンボルマークが観察できれば、該当する賞に当選したと判定するような単純なルールを設定することも可能である。また、このような単純なルール設定を行うのであれば、商用カード側に設ける開口窓は１つだけであってもかまわない。
【００６３】
ただ、あまり単純な当選ルールを設定すると、商用カードをくじ表示領域上に重ねた瞬間に当落が認識でき、顧客に対する心理的な効果が薄れてしまう。したがって、実用上は、商用カードには、複数の開口窓を形成するようにし、これら開口窓内から観察可能な複数のシンボルマークの組み合わせに基づいて、くじの当選を決定するためのルールを設定するようにするのが好ましい。たとえば、図１（ｂ）  に示す当選ルール情報２１２によれば、当落判定には、窓から見える数字の合計を計算する必要があり、５か所の開口窓から観察されるすべてのシンボルマークを用いて当選を決定するようなルールが設定されている。このように、開口窓から観察できる数字の合計値で当落を判断するような当選ルールは非常に効果的である。また、図７に示す当選ルール情報２１２Ｃによれば、特定のシンボルマーク対がいずれかの開口窓に観察された場合に当選となる。このように、特定の絵柄（同一でもよいし、類似したものでもよい）が所定の個数だけ開口窓から観察された場合に当選となるような当選ルールも効果的である。あるいは、「釣り竿」、「魚」、「バケツ」という関連ある３つの絵柄がすべて開口窓から観察された場合に当選となるような当選ルールを設定することも可能であるし、更に、色彩を組み合わせたルールを設定することも可能である。いずれにしても、複数のシンボルマークの組み合わせに基づいて当選を決定するような当選ルールを設定しておけば、顧客は当落判定のプロセスを楽しむことができるようになる。
【００６４】
（５）    シンボルマークの配置バリエーションについて
これまで述べた実施形態では、顧客に発行する商用カード側の開口窓の配置パターンにバリエーションをもたせているので、利用明細書のくじ表示領域に掲載されるシンボルマークの配置は、全顧客について共通にしても問題は生じない。
たとえば、図１（ｂ）  に示すくじ表示領域２１０の内容は、顧客識別コード２１７の部分を除いて、全顧客について共通のものであってかまわない。別言すれば、全顧客に対して、同一配列のシンボルマーク２１４を提示しても、個々の顧客の所持する商用カード側の開口窓の配置パターンがそれぞれ異なるので、当選する顧客も存在すれば、落選する顧客も存在し、「くじ引き」としての機能を果たすことができる。
【００６５】
しかしながら、敢えて、顧客ごとにシンボルマークの配置バリエーションを変えるような運用を行うことも可能である。たとえば、クレジットカードの１か月間の利用明細を示す利用明細書の場合、各顧客の１か月間のクレジットカードの利用金額に応じて、シンボルマークの配置態様を変えることにより、利用金額の多い顧客ほど、くじの当選確率も高くなるような設定を行うことができる。たとえば、１か月間のクレジットカードの利用金額の合計が、１万円未満のグループＡ、１万円以上５万円未満のグループＢ、５万円以上のグループＣ、というように、顧客を３つのグループに分類するとともに、シンボルマークの配置（単なる位置指定だけでなく、どのシンボルマークをいくつ配置するかという内容の取捨選択も含んだ配置）に関しても、当選確率の低い配置ａ、中くらいの配置ｂ、高い配置ｃという３通りの配置を用意し、グループＡに属する顧客宛の利用明細書には配置ａによりシンボルマークを印刷し、グループＢに属する顧客宛の利用明細書には配置ｂによりシンボルマークを印刷し、グループＣに属する顧客宛の利用明細書には配置ｃによりシンボルマークを印刷する、というような運用を行えばよい。
【００６６】
また、個々の顧客ごともしくは個々の顧客グループごとに、それぞれ異なるシンボルマーク配置を採用するようにするのであれば、すべての顧客に配布する商用カードの開口窓の配置パターンを共通にしたとしても、当選する顧客も存在すれば、落選する顧客も存在することになり、「くじ引き」としての機能を果たすことができる。たとえば、商用カードに関しては、すべての顧客に、図１（ａ）  に示すような同一の開口窓の配置パターンをもった商用カードを配布しておき、利用明細書に関しては、図１（ｂ）  に示すシンボルマーク２１４の配置を個々の顧客ごとにもしくは個々の顧客グループごとに変えるようにすれば、「くじ引き」としての機能を果たすことができる。
【００６７】
＜＜＜  §３．くじによる特典提供システム  ＞＞＞
これまで述べたとおり、本発明を「カード利用者に対するくじによる特典提供用具」として捉えれば、顧客に対して商用カード１００と利用明細書２００とを用意することにより、くじによる特典を顧客に提供することができる。しかしながら、実際に当選した顧客に対して、何らかの特典を提供するプロセスを考慮すると、当選判定を行うための事務処理をどのようにすべきかを考えておく必要がある。そこで、ここでは、当選の判定を行う機能までも含め、「カード利用者に対するくじによる特典提供システム」として本発明を捉え、その構成および動作を説明する。
【００６８】
図１０は、本発明に係る「カード利用者に対するくじによる特典提供システム」の基本構成を示すブロック図である。このシステムの基本構成要素は、個々の顧客に対して発行される商用カード１００、この商用カードの利用明細を示すための利用明細書２００を発行する利用明細書発行部５００、種々の情報をデジタルデータとして格納した情報格納部３００、この情報格納部３００に情報を格納するための情報入力部４００、くじの当選を判定する当選判定部６００である。
ここで、商用カード１００は、既に述べたとおり、透光性をもった開口窓が、個々の顧客ごともしくは個々の顧客グループごとに異なる配置パターンで形成されているカードであり、たとえば、信販会社から、クレジットカードとして個々の顧客に対して発行されるものである。これに対して、情報格納部３００、情報入力部４００、利用明細書発行部５００、当選判定部６００は、実際には、たとえば、信販会社の事務処理セクションに設置されるコンピュータおよび関連装置（入力装置、記憶装置、印刷装置など）によって構成されるものである。
【００６９】
情報格納部３００には、図示のとおり、単位顧客情報３１０、シンボルマークを示す情報３２０、配置情報３３０、当選ルール情報３４０が格納されている。
ここで、単位顧客情報３１０は、個々の顧客ごとに用意される情報であり、たとえば、図示の例では、４名の顧客に対してそれぞれ商用カード１００を１枚ずつ発行し、これら４名の顧客について、それぞれ単位顧客情報３１０が格納されている状態が示されている。
【００７０】
図示のとおり、１つの単位顧客情報３１０は、個人情報３１１、パターン情報３１２、利用明細情報３１３によって構成されている。個人情報３１１は、当該顧客の氏名、住所、会員番号などの個人的な情報である。パターン情報３１２は、当該顧客に対して発行した商用カード１００に形成された開口窓の配置パターンを示す情報である。たとえば、前述の例の場合、３行５列のマトリックスを構成する１５個のセルの中の任意の５つのセルに対応する位置に開口窓が形成されるので、パターン情報３１２としては、この開口窓が形成された５つのセルの位置を示す情報（より具体的には、マトリックスの何行目何列目に開口窓があるかを示す情報）ということになる。利用明細情報３１３は、当該顧客の利用明細を示す情報であり、商用カード１００がクレジットカードの場合であれば、たとえば、当該顧客についてのクレジットカードの利用履歴（いつ、どの店で、いくら利用したか）を示す情報ということになる。
【００７１】
一方、シンボルマークを示す情報３２０は、くじの当選を決定するために用いるシンボルマーク自身を示す情報である。たとえば、図１（ｂ）  に示すようなシンボルマーク２１４を用いる場合であれば、「１，２，３，４，５」なる５種類の数字が、シンボルマークを示す情報３２０として格納されることになり、図７に示すようなシンボルマーク２１４Ｃを用いる場合であれば、図示のような各絵柄の画像を示す画像データが、シンボルマークを示す情報３２０として格納されることになる。
【００７２】
配置情報３３０は、シンボルマークを示す情報３２０によって定義されたシンボルマークの配置を指定する情報であり、どのシンボルマークをどの位置に配置するかを指定する情報ということになる。ここに示す例では、すべての顧客に対して、共通したシンボルマーク配置を用いることにしているので、配置情報３３０は全顧客について共通のものが１つだけ用意されている。なお、この配置情報は、少なくとも一部の顧客に対して発行された商用カードを位置指標に基づいて位置合わせして重ねた場合に、少なくとも一部の開口窓内からシンボルマークが観察可能な位置に割り当てられるような配置を指定している必要がある。
【００７３】
当選ルール情報３４０は、くじの当選を決定するためのルールを示す情報である。この当選ルール情報３４０は、当選判定部６００が当選判定を行うのに適した形式で記述されており、この当選ルールを文章で表現したものが、たとえば、図１（ｂ）  に示す当選ルール情報２１２や図７に示す当選ルール情報２１２Ｃということになる。
【００７４】
情報入力部４００は、この情報格納部３００に対して種々の情報を入力するための構成要素である。通常、新たな顧客に対して、商用カード１００を発行する際に、当該顧客についての個人情報３１１およびパターン情報３１２が入力され、当該顧客がこの商用カード１００を利用するたびに、その履歴が利用明細情報３１３として蓄積されてゆくことになる。一方、シンボルマークを示す情報３２０、配置情報３３０、当選ルール情報３４０については、この実施形態の場合、情報入力部４００から毎月新たな情報の入力が行われる。そうすることにより、顧客は、毎月、異なるシンボルマークが異なる態様で配置され、異なる当選ルールに基づくくじを楽しむことができる。もちろん、これらの情報は、必ずしも毎月異ならせる必要はなく、たとえば、シンボルマークを示す情報３２０については、１年間同じものを使い続ける、といった運用を行うことも可能である。
【００７５】
利用明細書発行部５００は、図示のとおり、画像生成部５１０と画像出力部５２０とによって構成されている。ここで、画像生成部５１０は、情報格納部３００内に格納されている情報を参照しながら、個々の顧客宛に発送する利用明細書２００を構成する画像を生成する機能を有しており、画像出力部５２０は、こうして生成された画像を紙面上にプリントするか、もしくはデジタルデータとして出力することにより利用明細書の発行を行う機能を有している。
【００７６】
より具体的に説明すれば、画像生成部５１０は、たとえば、図２に示すような利用明細書２００を構成する画像を生成する。この場合、宛名領域２２０に記載する情報は、当該顧客についての個人情報３１１を参照することにより得られ、利用明細記録領域２３０に記載する情報は、当該顧客についての利用明細情報３１３を参照することにより得られる。また、くじ表示領域２１０内の当選ルール情報２１２に記載すべき情報は、当選ルール情報３４０を参照することにより得られ、シンボルマーク２１４として記載すべき内容およびその配置は、シンボルマークを示す情報３２０および配置情報３３０を参照することにより得られる。なお、位置指標２１３については、商用カード１００の大きさを考慮して、予め定められた位置に所定の指標を割り付けるようにしておけばよい。
【００７７】
かくして、画像生成部５１０によって生成された画像を、画像出力部５２０によって紙面上にプリントすれば、紙の形態をもった利用明細書２００が出力されるので、これを当該顧客に対して郵送する処理を行えばよい。一方、画像生成部５１０によって生成された画像を、画像出力部５２０によってデジタルデータ（たとえば、ＨＴＭＬ形式のデータや、ＰＤＦ形式のデータ）として出力した場合は、これを電子メールなどを利用して、当該顧客宛に配信すればよい。前述したとおり、このような配信を受けた顧客は、ディスプレイ画面上で利用明細書２００を確認したり、プリンタを用いて出力した紙媒体上の利用明細書２００として確認することができる。
【００７８】
こうして、郵送もしくは配信されてきた利用明細書２００の上に、自己の所持する商用カード１００を重ねた結果、当選が確認できた顧客については、くじ表示領域２１０の部分を切り離して（もしくは、くじ表示領域２１０の部分をコピーして）信販会社に返送してもらうようにする。信販会社では、このようにくじ表示領域２１０の部分もしくはその複写物を返送してもらうだけで、当該顧客に対する当選処理を行うことができる。実際には、特定の顧客が当選したか否かは、くじ表示領域２１０の返送を受けなくても、当選判定部６００によって判定することが可能である。すなわち、当選判定部６００は、情報格納部３００内に格納されている配置情報３３０、当選ルール情報３４０、そして個々の顧客ごとのパターン情報３１２を参照することにより、個々の顧客についての当落判定を行うことができる。
【００７９】
たとえば、図１（ａ）  に示す商用カード１００を所持する特許太郎なる顧客については、この顧客についてのパターン情報３１２を参照することにより、この顧客が所持する商用カード１００の開口窓１１０の配置パターンが図１（ａ）  に示すようなものであることを認識することができる。また、配置情報３３０を参照することにより、くじ表示領域２１０上には、図１（ｂ）  に示すような形態でシンボルマーク２１４が配置されていることを認識することができ、当選ルール情報３４０を参照することにより、当落の判定基準を認識することができる。したがって、当選判定部６００は、特許太郎なる顧客については、図３に示すような結果により落選することが認識でき、実用次郎なる顧客については、図５に示すような結果により「お米券５ｋｇ」が当選することが認識できる。
【００８０】
したがって、原理的には、当選した顧客から、くじ表示領域２１０の部分の返送を受けなくても、当選したすべての顧客に対して、当選による特典を与える処理を行うことは可能である。しかしながら、実際には、顧客自身が当選の事実を認識しており、かつ、当選による特典を受けたい旨の意志表示をした場合に限って、当該顧客に対して当選による特典を供与する運用形態を採ることが好ましい。自分が当選したことすら知らない顧客や、当選の特典を受けたい旨の意志表示をしない顧客に対してまで、一律に特定を供与することは不合理であり、社会の実情にはそぐわない。そこで、実用上は、上述したように、当選を認識した顧客については、くじ表示領域２１０の部分もしくはその複写物を返送してもらうことにより、当選の特典を受けたい旨の意志表示を行わせるようにするのが好ましい。
【００８１】
具体的には、くじ表示領域２１０の返送があった場合についてだけ、当選判定部６００による当選判定を行うようにし、当選が確認できた場合に、当該顧客に対して、当選による特典を供与する処理を行うようにすればよい。図１（ｂ）  に示すくじ表示領域２１０では、その右下隅に顧客識別コード２１７を設けてあるが、これは当選判定部６００による当選判定処理を行うための便宜である。すなわち、利用明細書発行部５００が、特定の顧客宛の利用明細書２００を発行する際に、この利用明細書２００の構成面上に、当該特定の顧客を識別するための顧客識別コード２１７を掲載する処理を行うようにし、当選判定部６００には、利用明細書もしくはその複写物から、顧客識別コード２１７をデジタルデータとして読み取り、読み取った顧客識別コード２１７に対応する顧客についての当選判定を行う機能を付加しておけばよい。そうすれば、落選している特許太郎から、くじ表示領域２１０の部分の返送があったとしても、顧客識別コード２１７を読み取ることにより、当該くじ表示領域２１０が特許太郎から郵送されたものであることが認識できるので、落選した顧客からの返送であるから無効である旨の処理を行うことができる。逆に、当選している実用次郎から、くじ表示領域２１０の部分の返送があれば、顧客識別コード２１７を読み取ることにより、当該くじ表示領域２１０が実用次郎からのものであることが認識できるので、当選した顧客からの返送であることが確認でき、特典供与の手続を実行することができる。
【００８２】
なお、前述したように、個々の顧客ごともしくは個々の顧客グループごとに、シンボルマークの配置を変える場合（たとえば、利用金額に応じて、当選確率を変えるような場合）は、情報格納部３００内に、複数通りの配置情報３３０を格納しておくようにし、利用明細書発行部５００が、個々の顧客宛の利用明細書２００を発行する際に、所定の配置情報を選択して用いるようにしておけばよい。
また、前述したように、すべての顧客に対して、開口窓の配置パターンが同一の商用カードを発行し、個々の顧客ごともしくは個々の顧客グループごとに、シンボルマークの配置を変えることにより、くじとしての機能を果たさせる場合も同様である。
【００８３】
＜＜＜  §４．利用明細書の発行装置  ＞＞＞
さて、§３で述べたシステムは、当選判定部６００によって、くじの当落判定を自動的に行う機能を備えていたが、このような当落判定は、必ずしも自動的に行った方が効率的とは限らない。たとえば、商用カードを個々の店舗で利用した際に当該店舗のレジで発行されるレシート形式の利用明細書に、本発明に係るくじ表示領域を形成した運用形態を考えてみる。この場合、店舗のレジで利用明細書を受け取った顧客は、その場で直ちに商用カードを重ね合わすことにより、くじの当落を認識することができる。そして、もし、くじに当選したことにより供与される特典が、粗品の進呈などのように、当該店舗のレジで対応できるような特典であった場合、その場で当該店舗のレジの係員に利用明細書と商用カードとを提示して、くじに当選していることを示し、その場で特典の供与を受けることができるようにした方が好ましい。
【００８４】
このような運用形態の場合、レジの係員が、たとえば、図３に示すように、くじ表示領域２１０上に顧客の商用カード１００を実際に重ね合わせて、当選していることを肉眼で確認する処理を行うことになるので、図１０に示すようなシステムにおける当選判定部６００は不要になる。別言すれば、当選判定までを自動的に行うようなシステム構成を採る必要はなく、利用明細書の発行を行う機能をもった装置が用意できれば十分である。
【００８５】
図１１は、本発明を「商用カードの利用明細書の発行装置」として捉えたときの構成を示すブロック図である。この発行装置は、図示のとおり、情報格納部３５０、情報入力部４００、画像生成部５１０、画像出力部５２０によって構成され、利用明細書２００を出力する機能を有する。ここで、情報入力部４００、画像生成部５１０、画像出力部５２０の各構成要素は、図１０に示すシステムにおける各対応構成要素とほぼ同じ機能を有している。情報格納部３５０は、種々の情報を格納する構成要素という点では、図１０に示すシステムにおける情報格納部３００と機能は同じであるが、実際に格納される情報が、若干少なくなっている。
【００８６】
すなわち、情報格納部３５０には、図示のとおり、個々の顧客ごとの利用明細情報３１３、シンボルマークを示す情報３２０、配置情報３３０、当選ルール情報３４０が格納されるが、個々の顧客ごとの個人情報３１１やパターン情報３１２の格納は行われない。もちろん、個人情報３１１やパターン情報３１２も格納した運用形態を採ることも可能であるが、ここに示す実施形態の場合、個々の店舗のレジに設置される利用明細書の発行装置という位置づけであり、発行される利用明細書２００には、その時点での商用カードの利用明細を示す利用明細記録領域と、くじ表示領域と、が掲載されるだけである。情報格納部３５０内には、レジで顧客が商用カードを利用するたびに、情報入力部４００から、当該利用に関する利用明細情報３１３が入力され、蓄積されることになる。画像生成部５１０は、この利用明細情報３１３を利用明細記録領域に割り付ける処理を行うとともに、シンボルマークを示す情報３２０、配置情報３３０、当選ルール情報３４０を参照して、くじ表示領域を生成することになる。なお、当選ルール情報３４０は、当選判定に利用されるものではなく、くじ表示領域内に当選ルール情報を掲載するため（たとえば、図１（ｂ）  における当選ルール情報２１２のような説明文を掲載するため）に利用されるものであり、そのような掲載を行わないのであれば、情報格納部３５０内に当選ルール情報３４０を格納しておく必要はない。
【００８７】
結局、図１１に示す利用明細書の発行装置は、本発明に係るくじ表示領域を有する利用明細書を発行する機能のみを有しており、当選判定を行う機能は備わっていない。しかしながら、上述の例のように、個々の店舗のレジに設置し、レジの係員が肉眼で当選判定を行うような運用形態では、十分に利用価値のあるものである。
【００８８】
もちろん、この図１１に示す利用明細書の発行装置の用途は、必ずしも個々の店舗のレジにおける用途に限定されるものではない。たとえば、信販会社が、当選判定を肉眼で行う運用形態を採るのであれば、図１０に示すシステムの代わりに、図１１に示す発行装置を利用することも可能である。この場合、個々の顧客に発行した商用カードにおける開口窓の配置パターンに関する情報は管理していないので（すなわち、情報格納部３５０内には、パターン情報３１２が格納されていないので）、当選の確認は肉眼で行う必要がある。そこで、当選した顧客には、信販会社のサービスカウンタへ、くじ表示領域２１０および商用カード１００を持参してもらうか、あるいは、図３に示すように、くじ表示領域２１０上に商用カード１００を重ねた状態でコピーをとってもらい、このコピーを信販会社に返送してもらうようにすればよい。信販会社の係員は、このコピーを肉眼で調べることにより、当選を確認することができる。
【００８９】
なお、このように、くじ表示領域２１０上に商用カード１００を重ねた状態のコピーを返送することにより、当選の応募を受け付ける場合、不正な改ざんが施されるおそれがある。たとえば、図３に示す例の場合、窓から見える数字の合計は１２であるから、くじは落選していることになる。ところが、複写機を用いた改ざんを行うことにより、開口窓の位置を都合よくずらした状態のコピーを作成すれば、窓から見える数字の合計を１５にするようなことが可能になる。このような改ざん行為は、コピーの返送という応募形態を採る限り、確実に発見することは困難である。
【００９０】
このような問題に対処するためには、商用カード上に定義されたマトリックスを構成するセルのうち、開口窓が形成されていないセルの位置に、ダミーシンボルマークを印刷しておくようにすればよい。これを実例に即して説明しよう。たとえば、図１２（ａ）  に示すようなダミーシンボルマークの基本配列７００を定義しておく。この基本配列７００は、商用カードおよびくじ表示領域上に定義されるマトリックスと同じサイズのマトリックス（この例では、３行５列のマトリックス）の各セルに、任意のシンボルマークを配置したものである。実際の商用カードでは、このマトリックス上の全１５個のセルのうちの一部分に相当する位置に開口窓が形成されることになるが、このとき、開口窓が形成されていないセル位置には、基本配列７００に応じたダミーシンボルマークを印刷するのである。
図１２（ｂ）  に示す商用カード１００Ｅは、このようにダミーシンボルマークが印刷された商用カードの一例である。この例では、１５か所のセル位置のうち、所定の５か所に開口窓が形成されているが、残りの１０か所のセル位置には、ダミーシンボルマークが印刷されている。各セル位置に印刷されているダミーシンボルマークは、それぞれ基本配列７００の対応するセル位置に定義されたダミーシンボルマークと同一のものである。
【００９１】
このような工夫を施した商用カード１００Ｅを用いるようにすれば、前述したような不正な改ざん行為を容易に認識することが可能になる。なぜなら、特定の開口窓の位置を移動させるような改ざんを行うには、開口窓とダミーシンボルマークとを入れ替える処理を行わざるを得ないが、このような入れ替えを行うと、ダミーシンボルマークの本来の位置がずれてしまい、基本配列７００との間に齟齬が生じてしまうからである。係員は、送付されてきたコピーに写っている各ダミーシンボルマークが、基本配列７００のとおりになっているか否かを確認することにより、不正改ざんの有無を認識することが可能になる。
【００９２】
【発明の効果】
以上のとおり本発明によれば、顧客に配布した商用カード自身を物理的に利用することにより、顧客に何らかの特典を提供する付加的サービスを行うことが可能になる。
【図面の簡単な説明】
【図１】本発明に係るカード利用者に対するくじによる特典提供用具の構成例を示す平面図である。
【図２】本発明に係るカード利用者に対するくじによる特典提供用具を構成する利用明細書の具体例を示す平面図である。
【図３】図１（ｂ）  に示すくじ表示領域２１０に、図１（ａ）  に示す商用カード１００を重ねた状態を示す平面図である。
【図４】図１（ａ）  に示す商用カード１００とは別な顧客に対して発行された商用カード１００Ａを示す平面図である。
【図５】図１（ｂ）  に示すくじ表示領域２１０に、図４に示す商用カード１００Ａを重ねた状態を示す平面図である。
【図６】本発明に用いられる商用カードの物理的な構成を示す平面図である（ハッチング部分は、遮光性をもった領域、白抜きの部分は透光性をもった開口窓である）。
【図７】絵柄からなるシンボルマーク２１４Ｃを用いて構成したくじ表示領域２１０Ｃの一例を示す平面図である。
【図８】図７に示すくじ表示領域２１０Ｃに、ポイントカードとしての機能をもつ商用カード１００Ｃを重ねた状態を示す平面図である。
【図９】図７に示すくじ表示領域２１０Ｃに、ポイントカードとしての機能をもつ別な商用カード１００Ｄを重ねた状態を示す平面図である。
【図１０】本発明に係る「カード利用者に対するくじによる特典提供システム」の基本構成を示すブロック図である。
【図１１】本発明に係る「商用カードの利用明細書の発行装置」の基本構成を示すブロック図である。
【図１２】不正行為を抑制するためにダミーシンボルマークを用いる実施形態を示す平面図である。
【符号の説明】
１００，１００Ａ〜１００Ｅ…商用カード
１１０，１１０Ａ，１１０Ｃ…開口窓
１２０…ＩＣチップ
２００，２００Ｃ…利用明細書
２１０，２１０Ｃ…くじ表示領域
２１１，２１１Ｃ…表題
２１２，２１２Ｃ…当選ルール情報
２１３，２１３Ｃ…位置指標
２１４，２１４Ｃ…シンボルマーク
２１５，２１５Ｃ…位置合わせ説明
２１６，２１６Ｃ…景品交換説明
２１７，２１７Ｃ…顧客識別コード
２２０…宛名領域
２３０…利用明細記録領域
２４０…お知らせ領域
３００…情報格納部
３１０…単位顧客情報
３１１…個人情報
３１２…パターン情報
３１３…利用明細情報
３２０…シンボルマークを示す情報
３３０…配置情報
３４０…当選ルール情報
３５０…情報格納部
４００…情報入力部
５００…利用明細書発行部
５１０…画像生成部
５２０…画像出力部
６００…当選判定部
７００…ダミーシンボルマークの基本配列
【図１】
2004227135.tif 000003
【図２】
2004227135.tif 000004
【図３】
2004227135.tif 000005
【図４】
2004227135.tif 000006
【図５】
2004227135.tif 000007
【図６】
2004227135.tif 000008
【図７】
2004227135.tif 000009
【図８】
2004227135.tif 000010
【図９】
2004227135.tif 000011
【図１０】
2004227135.tif 000012
【図１１】
2004227135.tif 000013
【図１２】
2004227135.tif 000014